(57)【要約】【課題】  ナビゲーション装置の操作性を向上すること。【解決手段】  移動体に設置されるナビゲーション装置１０において、ナビゲーション情報を表示する表示手段（ＬＣＤ１８）と、移動体が移動中であるか否かを検出する検出手段（センサ２０）と、検出手段による検出結果に応じて、表示手段の表示する情報の詳細度を決定する決定手段（ＣＰＵ１１）と、を有する。【選択図】  図１
2005207967.tif 000002
【特許請求の範囲】
【請求項１】
移動体に設置されるナビゲーション装置において、
ナビゲーション情報を表示する表示手段と、
上記移動体が移動中であるか否かを検出する検出手段と、
上記検出手段による検出結果に応じて、上記表示手段の表示する情報の詳細度を決定する決定手段と、
を有することを特徴とするナビゲーション装置。
【請求項２】
前記決定手段は、前記検出手段によって前記移動体が移動中であることが検出された場合には、移動中ではない場合に比較して、前記表示手段への表示項目の数を減少させることを特徴とする請求項１記載のナビゲーション装置。
【請求項３】
前記表示項目は、ソフトウエアボタンであり、前記決定手段は、前記移動体が移動中である場合には、移動中ではない場合に比較して、上記ソフトウエアボタンの表示数を減少させることを特徴とする請求項２記載のナビゲーション装置。
【請求項４】
前記表示項目は、説明文であり、前記決定手段は、前記移動体が移動中である場合には、移動中ではない場合に比較して、上記説明文の文字数を減少させることを特徴とする請求項２記載のナビゲーション装置。
【請求項５】
前記表示項目は、メニューであり、前記決定手段は、前記移動体が移動中である場合には、移動中ではない場合に比較して、上記メニューの選択項目を減少させるか、または、メニューを表示しないことを特徴とする請求項２記載のナビゲーション装置。
【請求項６】
ナビゲーション情報を表示する表示手段と、
上記表示手段に対して、初期設定画面を表示する際に操作されるソフトウエアボタンを表示させるボタン表示手段と、
上記ソフトウエアボタンが操作されて初期設定がなされたことを検出する検出手段と、
上記検出手段によって初期設定がなされたことが検出された場合には、それ以降の上記ボタン表示手段の動作を停止させる停止手段と、
を有することを特徴とするナビゲーション装置。
【請求項７】
前記初期設定画面では、設定される各設定項目を示すアイコンが表示され、
前記初期設定画面以外の画面においても同一の設定項目については、前記初期設定画面と同一のアイコンが表示される、
ことを特徴とする請求項６記載のナビゲーション装置。
【請求項８】
移動体に設置されるナビゲーション装置によるナビゲーション方法において、
上記移動体が移動中であるか否かを検出する検出ステップと、
上記検出ステップによる検出結果に応じて、表示装置の表示する情報の詳細度を決定する決定ステップと、
上記決定ステップで決定した詳細度で、ナビゲーション情報を上記表示装置で表示する表示ステップと、
を有することを特徴とするナビゲーション方法。
【請求項９】
ナビゲーション装置の機能設定方法において、
表示装置に対して、初期設定画面を表示する際に操作されるソフトウエアボタンを表示させるボタン表示ステップと、
上記ソフトウエアボタンが操作されて初期設定がなされたことを検出する検出ステップと、
上記検出ステップによって初期設定がなされたことが検出された場合には、以後のソフトウエアボタンの表示動作を停止させる停止ステップと、
を有することを特徴とするナビゲーション装置の機能設定方法。
【請求項１０】
移動体に設置されるナビゲーション装置において実行されるコンピュータ読み取り可能なナビゲーション用プログラムにおいて、
コンピュータを、
ナビゲーション情報を表示する表示手段、
上記移動体が移動中であるか否かを検出する検出手段、
上記検出手段による検出結果に応じて、上記表示手段の表示する情報の詳細度を決定する決定手段、
として機能させることを特徴とするナビゲーション用プログラム。
【請求項１１】
コンピュータを、
ナビゲーション情報を表示する表示手段、
上記表示手段に対して、初期設定画面を表示する際に操作されるソフトウエアボタンを表示させるボタン表示手段、
上記ソフトウエアボタンが操作されて初期設定がなされたことを検出する検出手段、
上記検出手段によって初期設定がなされたことが検出された場合には、それ以降の上記ボタン表示手段の動作を停止させる停止手段、
として機能させることを特徴とするコンピュータ読み取り可能なナビゲーション用プログラム。
【発明の詳細な説明】
【技術分野】
【０００１】
本発明は、ナビゲーション装置、ナビゲーション方法、その機能設定方法、およびナビゲーション用プログラムに関する。
【背景技術】
【０００２】
近年、車載型のナビゲーション装置が広く普及している。このようなナビゲーション装置は、多くの機能を有しているため、表示装置で、その機能を選択するための操作を誘導するメニューを表示することが多い（例えば、特許文献１参照）。
【０００３】
さらに、特許文献１の技術では、表示装置において操作のメニューを表示し、車速がゼロである場合には、停車中であると判定して、スクロール操作が可能な表示形態とし、車速がゼロではない場合には、走行中であると判定して、スクロール操作を必要としない表示形態としている。
【０００４】
【特許文献１】特開平１１−３１１５２２号公報（段落００７５、図６，１７）
【発明の開示】
【発明が解決しようとする課題】
【０００５】
しかしながら、従来のナビゲーション装置の場合、多機能であることに起因して、多くの表示項目を表示して、ユーザの操作を誘導しているため、例えば、ユーザが運転中である場合またはユーザがナビゲーション装置の操作に習熟していないような場合には、ただちに操作手順を理解することが困難であり、操作性に劣るという問題点がある。また、ユーザが運転中の場合には、表示される情報の量が多すぎると、運転に対する注意力が低下してしまうため、安全性の問題もある。
【０００６】
本発明は、上記の事情に基づきなされたもので、その目的とするところは、使用状況に即して、操作性を向上させたナビゲーション装置、ナビゲーション方法、その機能設定方法、およびナビゲーション用プログラムを提供することを目的とする。
【課題を解決するための手段】
【０００７】
上述の目的を達成するため、本発明は、移動体に設置されるナビゲーション装置において、ナビゲーション情報を表示する表示手段と、移動体が移動中であるか否かを検出する検出手段と、検出手段による検出結果に応じて、表示手段の表示する情報の詳細度を決定する決定手段と、を有している。
【０００８】
また、他の発明は、上述の発明に加えて、決定手段は、検出手段によって移動体が移動中であることが検出された場合には、移動中ではない場合に比較して、表示手段への表示項目の数を減少させるようにしている。
【０００９】
また、他の発明は、上述の発明のいずれかに加えて、表示項目は、ソフトウエアボタンであり、決定手段は、移動体が移動中である場合には、移動中ではない場合に比較して、ソフトウエアボタンの表示数を減少させるようにしている。
【００１０】
また、他の発明は、上述の発明のいずれかに加えて、表示項目は、説明文であり、決定手段は、移動体が移動中である場合には、移動中ではない場合に比較して、説明文の文字数を減少させるようにしている。
【００１１】
また、他の発明は、上述の発明のいずれかに加えて、表示項目は、メニューであり、決定手段は、移動体が移動中である場合には、移動中ではない場合に比較して、メニューの選択項目を減少させるか、または、メニューを表示しないようにしている。
【００１２】
また、本発明は、ナビゲーション情報を表示する表示手段と、表示手段に対して、初期設定画面を表示する際に操作されるソフトウエアボタンを表示させるボタン表示手段と、ソフトウエアボタンが操作されて初期設定がなされたことを検出する検出手段と、検出手段によって初期設定がなされたことが検出された場合には、それ以降のボタン表示手段の動作を停止させる停止手段と、を有している。
【００１３】
また、他の発明は、上述の発明に加えて、初期設定画面では、設定される各設定項目を示すアイコンが表示され、初期設定画面以外の画面においても同一の設定項目については、初期設定画面と同一のアイコンが表示される、ようにしている。
【００１４】
また、本発明は、移動体に設置されるナビゲーション装置によるナビゲーション方法において、移動体が移動中であるか否かを検出する検出ステップと、検出ステップによる検出結果に応じて、表示装置の表示する情報の詳細度を決定する決定ステップと、決定ステップで決定した詳細度で、ナビゲーション情報を表示装置で表示する表示ステップと、を有している。
【００１５】
また、本発明は、ナビゲーション装置の機能設定方法において、表示装置に対して、初期設定画面を表示する際に操作されるソフトウエアボタンを表示させるボタン表示ステップと、ソフトウエアボタンが操作されて初期設定がなされたことを検出する検出ステップと、検出ステップによって初期設定がなされたことが検出された場合には、以後のソフトウエアボタンの表示動作を停止させる停止ステップと、を有するようにしている。
【００１６】
また、本発明は、移動体に設置されるナビゲーション装置において実行されるコンピュータ読み取り可能なナビゲーション用プログラムにおいて、コンピュータを、ナビゲーション情報を表示する表示手段、移動体が移動中であるか否かを検出する検出手段、検出手段による検出結果に応じて、表示手段の表示する情報の詳細度を決定する決定手段、として機能させるようにしている。
【００１７】
また、本発明は、コンピュータを、ナビゲーション情報を表示する表示手段、表示手段に対して、初期設定画面を表示する際に操作されるソフトウエアボタンを表示させるボタン表示手段、ソフトウエアボタンが操作されて初期設定がなされたことを検出する検出手段、検出手段によって初期設定がなされたことが検出された場合には、それ以降のボタン表示手段の動作を停止させる停止手段、として機能させるようにしている。
【発明の効果】
【００１８】
本発明は、使用状況に応じて表示内容を変更することにより、操作性を向上させたナビゲーション装置、ナビゲーション方法、その機能設定方法、およびナビゲーション用プログラムを提供することができる。
【発明を実施するための最良の形態】
【００１９】
以下、本発明の一実施の形態について図に基づいて説明する。
【００２０】
図１は、本発明の第１の実施の形態に係るナビゲーション装置の構成例を示すブロック図である。この図に示すように、本発明の第１の実施の形態に係るナビゲーション装置１０は、ＣＰＵ（Central Processing Unit）１１、ＲＯＭ（Read Only Memory）１２、ＲＡＭ（Random Access Memory）１３、ＨＤＤ（Hard Disk Drive）１４、ビデオ回路１５、Ｉ／Ｆ（Interface）１６、バス１７、ＬＣＤ（Liquid Crystal Display）１８、入力装置、１９、センサ２０、ＧＰＳ（Global Positioning System）装置２１、および音声出力装置２２を有している。
【００２１】
ここで、ＣＰＵ１１は、ＲＯＭ１２またはＨＤＤ１４に格納されているプログラムに応じて、各種演算処理を実行するとともに、装置の各部を制御する中央処理装置である。
【００２２】
ＲＯＭ１２は、ＣＰＵ１１が実行するプログラムを格納した半導体記憶装置である。ＲＡＭ１３は、ＣＰＵ１１が実行するプログラムを一時的に記憶する半導体記憶装置である。
【００２３】
ＨＤＤ１４は、ＣＰＵ１１が実行するプログラムを格納するとともに、地図情報を格納している。ビデオ回路１５は、ＣＰＵ１１から供給された描画コマンドに応じた描画処理を実行するとともに、描画処理の結果として得られた画像を映像信号に変換してＬＣＤ１８へ出力する。
【００２４】
Ｉ／Ｆ１６は、入力装置１９、センサ２０、およびＧＰＳ装置２１からの出力される信号の表現形式を変換して入力するとともに、音声出力装置に対して出力する信号の表現形式を変換する。バス１７は、ＣＰＵ１１、ＲＯＭ１２、ＲＡＭ１３、ＨＤＤ１４、ビデオ回路１５、およびＩ／Ｆ１６を相互に接続し、これらの間で情報の授受を可能とするための信号線群である。
【００２５】
ＬＣＤ１８は、ビデオ回路１５から出力される映像信号を表示するための表示装置である。図２は、ＬＣＤ１８の詳細を説明するための図である。この図に示すように、ＬＣＤ１８は、中央に表示部１８ａが配置されており、その周辺には入力装置１９としてのハードウエアボタン１９ｂ〜１９ｇが配置されている。また、表示部１８ａには入力装置１９としてのタッチパネル１９ａが重畳するように配置されているので、表示部１８ａに表示されている画像情報等を参照してタッチパネル１９ａを操作することにより、所望の情報を入力することができる。
【００２６】
この例では、表示部１８ａには、車両の現在地の周辺地図が表示されている。ハードウエアボタン１９ｂは、例えば、音声出力装置２２から出力される音声の音量を調整する場合に操作されるボタンである。ハードウエアボタン１９ｃは、例えば、ＣＤ（Compact Disk（登録商標））の再生を開始する場合に操作されるボタンである。ハードウエアハードウエアボタン１９ｄは、ポイントメニューを表示する場合に操作されるボタンである。ハードウエアボタン１９ｅは、表示部１８ａに表示される情報を、ナビゲーションおよびＴＶ（テレビジョン映像）のいずれかから選択する場合に操作されるボタンである。ハードウエアボタン１９ｆは、ＣＤ、ＤＶＤ（Digital Versatile Disk）の再生を停止する場合に操作される。ハードウエアボタン１９ｇは、ＤＶＤの再生を開始する場合に操作されるボタンである。
【００２７】
図１に戻って、入力装置１９は、前述したように、ＬＣＤ１８の表示部に重畳するように配置されたタッチパネル１９ａおよびハードウエアボタン１９ｂ〜１９ｇを有しており、操作者の操作に応じた情報を生成して出力する。
【００２８】
センサ２０は、車両の速度を示す車速センサ、車両の各制御軸の角速度を示す角速度センサ、およびサイドブレーキの操作状態を示すサイドブレーキセンサを有している。
【００２９】
ＧＰＳ装置２１は、複数のＧＰＳ人工衛星から発信される情報を利用して、車両の現在位置（緯度・経度・高度）を得る装置である。音声出力装置２２は、ＣＰＵ１１から供給されたデータをＤ／Ａ（Digital to Analog）変換し、音声として出力する。
【００３０】
なお、この実施の形態において、ナビゲーション用プログラムを実行するＣＰＵ１１は、ＬＣＤ１８の表示するナビゲーション情報の詳細度を決定する決定手段として機能する。また、ＬＣＤ１８は、ナビゲーション情報を表示する表示手段として機能し、センサ２０は、移動中であるか否かを検出する検出手段として機能する。
【００３１】
つぎに、本発明の第１の実施の形態に係るナビゲーション装置の動作について説明する。
【００３２】
図３は、図１に示す第１の実施の形態において実行される処理の一例を説明するためのフローチャートである。このフローチャートが開始されると、以下のステップが実行される。なお、このフローチャートは、ナビゲーション装置１０に電源が投入された場合（例えば、車両のエンジンが始動された場合）に実行される処理である。以下の処理は、ＣＰＵ１１がナビゲーション用プログラムをＨＤＤ１４から読み出し、実行することで実現される。
【００３３】
ステップＳ１０：ＣＰＵ１１は、初期設定処理を実行する。具体的には、ＣＰＵ１１は、センサ２０からの出力を参照して、現在の車両の状況を検出し、その状況に応じて各種パラメータを設定するとともに、ＧＰＳ装置２１からの出力を参照して、車両の現在位置を算出し、算出された現在位置に対応する地図情報をＨＤＤ１４から検索してＬＣＤ１８に表示する。
【００３４】
ステップＳ１１：ＣＰＵ１１は、センサ２０に含まれている車速センサまたはサイドブレーキセンサからの出力を参照して、車両が現在走行中であるか否かを検出し、走行中である場合にはステップＳ１２に進み、それ以外の場合にはステップＳ１３に進む。
【００３５】
ステップＳ１２：ＣＰＵ１１は、走行中用画面を表示するための情報をＨＤＤ１４から取得して、ビデオ回路１５に供給する。その結果、ＬＣＤ１８には、図４に示す情報が表示される。
【００３６】
図４の例では、表示部１８ａの左上部には、方位磁針を模したアイコン５０が表示されている。表示部１８ａの右上部には、運転者の自宅までのルート検索を行う場合に操作されるアイコン５１が表示されている。その下には、ＣＤを再生する際に操作されるアイコン５２が表示されている。その下には、表示部１８ａに表示される地図情報の表示態様を設定する場合に操作されるアイコン５３が表示されている。
【００３７】
また、表示部１８ａの下には、目的地への予想到着時刻が表示されるボックス６０が表示されている。その右隣には、ＶＩＣＳ（Vehicle Information and Communication System）情報を受信した時刻が表示されるボックス６１が表示されている。その右隣には、例えば、目的地へ到着するまでに必要な料金（例えば、高速道路を通行するための料金）が表示されるボックス６２が表示されている。なお、実際には図２に示すように地図情報に重畳される態様で、これらのアイコン５０〜５３が表示されるが、図４では、図を見やすくするために地図情報は省略してある。
【００３８】
ステップＳ１３：ＣＰＵ１１は、停車中用画面を表示するための情報をＨＤＤ１４から取得して、ビデオ回路１５に供給する。その結果、ＬＣＤ１８には、図５に示す情報が表示される。
【００３９】
すなわち、図５の例では、図４の表示例と比較すると、表示部１８ａの左部には、アイコン５０に加え、アイコン５４，５５が表示されており、また、右部にはアイコン５１〜５３に加え、アイコン５６〜５８が新たに表示されている。
【００４０】
ここで、アイコン５４は、オプションに関する設定（例えば、光ビーコンの設定）を行う場合に操作されるアイコンである。アイコン５５は、ナビゲーション装置に関する各種設定（例えば、走行軌跡等の設定）を行う場合に操作されるアイコンである。
【００４１】
アイコン５６は、目的地までのルート検索を行う場合に操作されるアイコンである。アイコン５７は、例えば、現在位置の周辺から目的となる施設（例えば、駐車場等）を探索する場合に操作されるアイコンである。アイコン５８は、現在位置周辺の道路の交通状況を表示する場合に操作されるアイコンである。
【００４２】
なお、図４の場合と図５の場合とを比較すると、図４の場合の方が、表示部１８ａに表示されるアイコンの個数が少ない。これは、走行中には運転者は運転に集中しているため、表示されるアイコンの個数を必要最小限にまで減らすことにより、操作性を向上させるためである。また、停車中は、運転に集中する必要がなく、また、ある程度時間をかけて操作を行うことができるので、走行中より多くのアイコンを表示している。
【００４３】
ステップＳ１４：ＣＰＵ１１は、タッチパネル１９ａのアイコン表示部分が押圧されて、アイコンが操作されたか否かを判定し、操作された場合にはステップＳ１５に進み、それ以外の場合にはステップＳ１８に進む。例えば、アイコン５１が操作された場合にはステップＳ１５に進む。
【００４４】
ステップＳ１５：ＣＰＵ１１は、センサ２０に含まれている車速センサまたはサイドブレーキセンサからの出力を参照し、車両が走行中であるか否かを判定し、走行中である場合にはステップＳ１６に進み、それ以外の場合にはステップＳ１７に進む。例えば、走行中である場合にはステップＳ１６に進む。
【００４５】
ステップＳ１６：ＣＰＵ１１は、走行中用情報をＬＣＤ１８に表示させる。例えば、走行中においてアイコン５１が操作された場合には、図６に示すような画像７０が表示部１８ａに表示されることになる。
【００４６】
走行中において、アイコン５１が操作された場合には、何らかの事情（例えば、忘れ物）により、自宅へ戻る必要があると考えられる。この場合、まず、ＣＰＵ１１は、現在位置から予め登録されている自宅までのルート検索を行う。そして、検索結果の候補が複数ある場合、運転者は運転中であり、複数の候補から所望の候補を選択することは困難であるため、最短距離（または最短時間）であるルートを自動的に選択して、図６に示すような画像７０を表示するとともに、同様の内容を必要に応じて音声出力装置２２から音声として出力する。
【００４７】
ステップＳ１７：ＣＰＵ１１は、停車中用情報をＬＣＤ１８に表示させる。例えば、停車中においてアイコン５１が操作された場合には、図７に示すような画像７１が表示部１８ａに表示されることになる。
【００４８】
停車中において、アイコン５１が操作された場合には、自宅から離れた場所において、自宅までのルートを検索していると考えられるので、現在位置から予め登録されている自宅までのルート検索を行い、複数の検索結果が存在する場合には、それらを選択候補として画面７１に一覧表示するとともに、いずれかの候補を選択するためのボタンを表示する。
【００４９】
図７の表示例の場合、画像７１の表示領域７１ａの最上部には、説明文として「ルートを選択してください。」が表示されており、その下には検索の結果候補として得られた３つのルートが曲線で表示されている。また、表示領域７１ａの左上部には、３つのルートを選択するためのボタン７１ｂ〜７１ｄが表示されている。運転者は、このような画像７１を参照することにより、自宅までの最適なルートを選択することができる。
【００５０】
ステップＳ１８：ＣＰＵ１１は、処理を終了するか否かを判定し、終了しないと判定した場合にはステップＳ１１に戻って同様の処理を繰り返し、それ以外の場合には処理を終了する。
【００５１】
以上の例では、アイコン５１を例に挙げて説明を行ったが、これ以外のアイコンが操作された場合については、以下に説明する。
【００５２】
まず、アイコン５２が操作された場合について説明する。走行中において、アイコン５２が操作されると、図８に示すように、画像７５が表示され、図示せぬＣＤ再生装置によりＣＤの再生が表示される。具体的には、図８の例では、画像７５には説明文として「ＣＤのＴｒ１の再生を開始します。」が表示されており、Ｔｒ１の再生が開始されることが表示されている。すなわち、走行中において、アイコン５２が操作された場合には、運転者は運転中であるので、楽曲の選択等の操作ができないと考えられることから、図示せぬＣＤ再生装置のプレイボタンを操作したのと同様の動作のみが実行される。
【００５３】
一方、停車中において、アイコン５２が表示された場合には、図９に示すような画像７６が表示されることになる。この表示例では、画像７６の表示領域７６ａの最上部にはタイトル７６ａとして「ＣＤ再生」が表示されている。表示領域７６ａの左端には、再生しようとするＣＤが有するトラックＴｒ１〜Ｔｒ６に対応するボタン７６ｂ〜７６ｇが表示されている。また、ボタン７６ｂ〜７６ｇの右隣には、それぞれのトラックに記録されている楽曲のタイトルが表示されている。このような画像７６において、例えば、タッチパネル１９ａのボタン７６ｂの部分が押圧されると、Ｔｒ１の楽曲「Ｓａｌｌｙ  Ｇａｒｄｅｎ」の再生が開始される。すなわち、停車中であれば、運転者は楽曲等の選択もできると考えられるので、楽曲名およびボタンを表示して、所望の楽曲の再生を開始することができるようにしている。なお、図９に表示されている項目以外にも、例えば、早送りボタン、巻き戻しボタン、ランダム再生ボタン等を設けるようにしてもよい。
【００５４】
このように、同じアイコン５２が操作された場合であっても、車両が走行中であるときには、必要最小限の情報のみを表示するようにし、また、停車中であるときには、楽曲名等の情報も併せて表示するようにしたので、運転者の置かれている状況に応じて最適な形式で情報を提示することができ、操作性を向上させることができる。
【００５５】
つぎに、アイコン５３が操作された場合の動作について説明する。走行中においてアイコン５３が操作されると、図１０に示すような画像８０が表示される。図１０の表示例では、画像８０には、タイトルとして「Ｖｉｅｗ変更」が表示され、説明文として「２次元ビュー」が表示されており、Ｖｉｅｗ変更が行われ、現在２次元ビュー表示中であることが示されている。このとき、ＣＰＵ１１は、ＬＣＤ１８の表示する地図情報を２次元ビュー形式で表示させる。その結果、運転者は、当該表示形式でよいと判断した場合には操作を停止し、それ以外の場合にはアイコン５３の操作を繰り返す。アイコン５３が操作されるたびに、地図情報の表示形式が切り換えられるので（例えば、「２次元ビュー」、「３次元ビュー」、「スカイビュー」、「サテライトビュー」がこの順番で順次切り換えられるので）、運転者は表示部１８ａに表示される地図情報を参照することにより、最適な表示形式を選択することができる。
【００５６】
一方、停車中である場合において、アイコン５３が操作されると、図１１に示すような画像８１が表示される。この表示例では、画像８１の表示領域８１ａの上端には、タイトルとして「Ｖｉｅｗ選択」が表示されており、右端には地図情報の表示形式を選択するためのボタン８１ｂ〜８１ｅが表示されている。ボタン８１ｂ〜８１ｅの右隣には、それぞれのボタンが操作された場合の地図情報の表示形式が表示されている。具体的には、ボタン８１ｂが押圧された場合には、地図情報が２次元形式で表示され、ボタン８１ｃが押圧された場合には、地図情報が３次元形式で表示され、ボタン８１ｄが押圧された場合には、航空写真が地図情報として表示され、ボタン８１ｅが押圧された場合には、衛生写真が地図情報として表示される。
【００５７】
このような画像８１において、タッチパネル１９ａの所望のボタンの部分が押圧されると、そのボタンに対応する形式により地図情報が表示されることになる。
【００５８】
以上に説明したように、同じアイコン５３が操作された場合であっても、車両が走行中であるときには、必要最小限の情報のみを表示するようにし、また、停車中であるときには、各表示形式に関する情報（説明文）も併せて表示するようにしたので、運転者の置かれている状況に応じて最適な形式で情報を提示することができる。
【００５９】
また、車両が走行中であるときには、ＬＣＤ１８に表示されるソフトウエアボタンの個数を必要最小限まで減少するようにしたので、走行中であっても安全かつ簡易にボタン操作を行うことができる。
【００６０】
また、車両が走行中である場合には、ＬＣＤ１８に表示される説明文の文字数を減少させるようにしたので、走行中には必要最小限の文字のみを参照することができ、一方、停車中にはより詳細な情報を得ることができる。
【００６１】
また、車両が走行中である場合には、ＬＣＤ１８に表示されるメニューの選択項目の個数を減らすようにしたので、走行中であっても安全にメニュー操作を行うことができる。さらに、走行中に操作を行う必要がないメニューについては表示しないようにしたので、メニューを簡略化することができる。
【００６２】
つぎに、本発明の第２の実施の形態について説明する。なお、本発明の第２の実施の形態に係るナビゲーション装置の構成は、図１の場合と同様であるのでその説明は省略する。
【００６３】
なお、この実施の形態において、ナビゲーション用プログラムを実行するＣＰＵ１１は、ソフトウエアボタンをＬＣＤ１８に表示させるボタン表示手段、初期設定がなされたことを検出する検出手段、ボタン表示手段の動作を停止させる停止手段として機能する。
【００６４】
図１２は、本発明の第２の実施の形態に係るナビゲーション装置の動作について説明するためのフローチャートである。このフローチャートが開始されると、以下のステップが実行されることになる。なお、このフローチャートは、図１３に示すナビゲーション装置の機能を設定するためのボタン９０ｆが押圧された場合に実行されるフローチャートである。
【００６５】
なお、図１３に示す表示例は、図２に示すハードウエアボタン１９ｄが操作された場合に表示される画面である。この画面において、ボタン９０ａは、現在地の周辺から所定の施設（例えば、駐車場）を探索する場合に操作されるボタンである。ボタン９０ｂは、現在地から所定の目的地までのルートを検索するためのボタンである。ボタン９０ｃは、現在地周辺の渋滞情報を表示するためのボタンである。ボタン９０ｄは、種々の情報を表示させるためのボタンである。ボタン９０ｅは、オプション項目を設定する場合に操作されるボタンである。ボタン９０ｆは、ナビゲーション装置１０に関する種々の設定を行う場合に操作される。ボタン９０ｇは、この画面を閉じる（終了する）場合に操作されるボタンである。
【００６６】
ステップＳ３０：ＣＰＵ１１は、図１３に示す画面においてボタン９０ｆが初めて操作されたか否かを判定し、初めてである場合にはステップＳ３１に進み、それ以外の場合にはステップＳ３２に進む。
【００６７】
なお、ＣＰＵ１１は、ボタン９０ｆが操作されると、過去にボタン９０ｆが操作されたことを示す所定のデータがＨＤＤ１４に格納されているか否かを判定し、そのデータがない場合には、初めてのボタン操作と判断し、そうでない場合には、初めてのボタン操作ではないと判断する。
【００６８】
ステップＳ３１：ＣＰＵ９１は、ＬＣＤ１８に対して所定の情報を供給し、図１４に示すような「初めての設定」ボタン９１ｂを表示するとともに、その他のボタン９１ａ，９１ｃ〜９１ｆを表示する。
【００６９】
ここで、ボタン９１ｂは、初めてナビゲーション装置１０の設定を行う場合に操作されるボタンである。ボタン９１ａは、地図の設定を行う場合に操作されるボタンである。ボタン９１ｃは、渋滞情報に関する設定を行う場合に操作されるボタンである。ボタン９１ｄは、ルートの設定を行う場合に操作されるボタンである。ボタン９１ｅは、音声案内の設定を行う場合に操作されるボタンである。ボタン９１ｆは、画面を閉じる場合（終了する場合）に操作されるボタンである。
【００７０】
ステップＳ３２：ＣＰＵ１１は、通常の処理を実行する。すなわち、図１４においてボタン９１ｂが存在しない画面を表示し、ボタンの操作に対応する処理を実行する。
【００７１】
ステップＳ３３：ＣＰＵ１１は、ボタン９１ｂが操作されたか否かを判定し、操作された場合にはステップＳ３４に進み、操作されていない場合には同様の処理を繰り返す。なお、その他のボタンが操作された場合には、対応する処理が実行される。
【００７２】
ステップＳ３４：ＣＰＵ１１は、ビデオ回路１５に対して所定の情報を供給することにより、図１５に示すような画像を表示する。この図の例では、ＬＣＤ１８の表示部１８ａの右上部には、タイトル９２ａである「ＳＴＥＰ１」が表示されている。その右隣にはアイコン９２ｂとともに設定内容を示す説明文「地図の設定」が表示されている。その下には、地図情報が１画面表示された場合を示す画像９２ｃと２画面表示された場合を示す画像９２ｄとが表示されている。また、画像９２ｃ，９２ｄの下には、１画面表示を選択する場合に操作されるボタン９２ｅと、２画面表示を選択する場合に操作されるボタン９２ｆがそれぞれ表示されている。その右隣には、つぎのステップに進む場合に操作されるボタン９２ｇが表示されている。画面最下部には、この画面における設定内容に関する説明文９２ｈとして「地図の表示を設定します。」が表示されている。また、その右隣には、この画面を閉じる（終了する）場合に操作されるボタン９２ｉが表示されている。
【００７３】
このような画面において、１画面表示または２画面表示のいずれかを選択することにより、ＳＴＥＰ１の設定を行うことができる。ＳＴＥＰ１の設定が完了すると、ボタン９２ｇを操作することにより、つぎの項目を設定することができる。
【００７４】
ステップＳ３５：ＣＰＵ１１は、すべての設定が完了したか否かを判定し、設定が終了した場合にはステップＳ３６に進み、それ以外の場合には同様の処理を繰り返す。すなわち、図１５において設定が完了した後、ボタン９２ｇを操作することによりＳＴＥＰ２の設定に進み、同様にしてＳＴＥＰ３の設定が行われ、同様の操作を繰り返すことによりすべての設定が終了する。
【００７５】
ステップＳ３６：ＣＰＵ１１は、過去にボタン９２ｆが操作されたことを示す所定のデータをＨＤＤ１４に格納し、設定処理を終了する。
【００７６】
以上のようにして設定が完了し、その後に、図１３に示すボタン９０ｆが操作された場合には、図１６に示すような画面となる。この図の例では、図１４の場合と比較して、初めての設定の場合に操作されるボタン９１ｂが表示されない。それ以外は図１４の場合と同様である。
【００７７】
以上のように、運転者による設定状況に応じて、画面の表示態様を変更するようにしたので、不必要な表示項目を画面上から消去することにより、操作性を向上することができる。
【００７８】
なお、図１７は、以上のような設定が完了した後に、図１６に示すボタン９１ａが操作された場合に表示される画面の一例である。この例では、表示部１８ａの右上部にタイトル９３ａとして「地図の設定」が表示されている。またその下には、地図に関する設定項目をそれぞれ示すボックス９３ｂ〜９３ｄが列挙されている。その下には、ボタン９３ｅ〜９３ｈが表示されている。また、その下には、現在の表示画面を説明するための説明文９３ｉとして、「地図の表示を設定します。」が表示され、その右隣には、この画面を閉じる（終了する）場合に操作されるボタン９３ｊが表示されている。
【００７９】
この画面では、１画面または２画面を設定するためのボックス９３ｂには、図１５の場合と同様のアイコン９２ｂが表示されているので、初めての設定において設定した項目との対応関係を簡便に知ることができる。このため、操作性を向上させることが可能になる。
【００８０】
また、この画面では、現在設定中である「地図」以外にもボタン９３ｅ，９３ｇ，９３ｈを設け、ルート検索、渋滞、音声についても併せて設定することができるようにしたので、選択したアイコン以外の項目についても連続して設定することができるため、操作性を向上させることができる。
【００８１】
以上に説明したように、本発明の第２の実施の形態によれば、「初めての設定」がなされたか否かに応じて、アイコン９１ｂの表示・非表示を変更するようにしたので、使用状況に応じて表示内容を変更することにより、操作性を向上させることが可能になる。
【００８２】
なお、上述の各実施の形態は、本発明の好適な例であるが、本発明は、これらに限定されるものではなく、本発明の要旨を逸脱しない範囲において、種々の変形、変更が可能である。
【００８３】
例えば、以上の各実施の形態では、ナビゲーション装置を車両に取り付ける場合を例に挙げて説明を行ったが、車両のみならず、船舶、航空機等に取り付けることも可能であることはいうまでもない。
【００８４】
また、以上の各実施の形態では、入力装置１９としてはタッチパネルを例に挙げて説明したが、タッチパネルではなく、リモートコントローラを利用することも可能である。
【００８５】
また、以上の各形態において例示したアイコンおよび画面は、一例であって、本発明がこのようなものにのみ限定されるものではないことはもちろんである。
【００８６】
また、第２の実施の形態においては、「初めての設定」を例に挙げて説明したが、本発明は、このようなものにのみ限定されるものではなく、例えば、「音声案内の設定」についても本発明を適用することが可能である。
【００８７】
また、第１の実施の形態では、車両が走行中か否かによって、アイコンが操作された場合に表示される画面を変更するようにしたが、例えば、走行中である場合には説明文の文字数を減少させるとともに、音声による案内も同時に行うようにしてもよい。
【００８８】
また、第１の実施の形態では、車両が走行中か否かによって、アイコンが操作された場合に表示される画面を変更するようにしたが、例えば、走行中である場合には表示されるメニューの選択項目を減少させるとともに、各項目について音声による案内を同時に行うようにしてもよい。
【００８９】
また、第１の実施の形態において、車両が停車中の場合にテキストが表示される一方で、車両が走行中の場合には、そのテキストの意味を図案化した画像またはアイコンを表示するようにしてもよい。
【００９０】
なお、以上の実施の形態において、ハードウエアボタン以外のボタン（アイコン５１〜５８、ボタン７１ｂ〜７１ｄ，７６ｂ〜７６ｇ，８１ｂ〜８１ｅ，９０ａ〜９０ｇ，９１ａ〜９１ｆ，９２ｅ〜９２ｇ，９２ｉ，９３ｅ〜９３ｈ，９３ｊ）は、いわゆるソフトウエアボタンであり、ＬＣＤ１８のボタン画像と、タッチパネル１９ａにより実現される操作部である。
【００９１】
なお、上述の処理機能は、例えば、図１に示すようなコンピュータによって実現される。その場合、ナビゲーション装置が有すべき機能の処理内容を記述したプログラムが提供される。そのプログラムをコンピュータで実行することにより、処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ(Digital Versatile Disk)、ＤＶＤ−ＲＡＭ(Random Access Memory)、ＣＤ−ＲＯＭ(Compact Disk Read Only Memory)、ＣＤ−Ｒ(Recordable)／ＲＷ(ReWritable)などがある。光磁気記録媒体には、ＭＯ(Magneto-Optical disk)などがある。
【００９２】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００９３】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【産業上の利用可能性】
【００９４】
本発明は、表示装置を有するナビゲーション装置に利用することができる。
【図面の簡単な説明】
【００９５】
【図１】本発明の第１の実施の形態に係るナビゲーション装置の構成例を示すブロック図である。
【図２】図１に示す第１の実施の形態のＬＣＤの表示画面の一例を説明するための図である。
【図３】図１に示す第１の実施の形態に係るナビゲーション装置の動作を説明するためのフローチャートである。
【図４】図１に示す第１の実施の形態において車両が走行中である場合の表示画面の一例を示す図である。
【図５】図１に示す第１の実施の形態において車両が停車中である場合の表示画面の一例を示す図である。
【図６】図１に示す第１の実施の形態において車両が走行中である場合にアイコン５１が操作されたときに表示される画像の一例を示す図である。
【図７】図１に示す第１の実施の形態において車両が停車中である場合にアイコン５１が操作されたときに表示される画像の一例を示す図である。
【図８】図１に示す第１の実施の形態において車両が走行中である場合にアイコン５２が操作されたときに表示される画像の一例を示す図である。
【図９】図１に示す第１の実施の形態において車両が停車中である場合にアイコン５２が操作されたときに表示される画像の一例を示す図である。
【図１０】図１に示す第１の実施の形態において車両が走行中である場合にアイコン５３が操作されたときに表示される画像の一例を示す図である。
【図１１】図１に示す第１の実施の形態において車両が停車中である場合にアイコン５３が操作されたときに表示される画像の一例を示す図である。
【図１２】本発明の第２の実施の形態に係るナビゲーション装置の動作の一例を説明するためのフローチャートである。
【図１３】本発明の第２の実施の形態における表示画面の一例を示す図である。
【図１４】図１３に示す画面においてアイコン９０ｆが初めて操作された場合の表示画面の一例を示す図である。
【図１５】図１４に示す画面においてアイコン９１ｂが操作された場合の表示画面の一例を示す図である。
【図１６】図１５に示す画面において設定が完了した後に、図１３に示す画面においてアイコン９０ｆが操作された場合の表示画面の一例を示す図である。
【図１７】図１６に示す画面においてアイコン９１ａが操作された場合の表示画面の一例を示す図である。
【符号の説明】
【００９６】
１０  ナビゲーション装置
１１  ＣＰＵ（決定手段、ボタン表示手段、検出手段、停止手段）
１８  ＬＣＤ（表示手段）
２０  センサ（検出手段）
５１〜５８  アイコン（ソフトウエアボタン）
７１ｂ〜７１ｄ  ボタン（ソフトウエアボタン）
７６ｂ〜７６ｇ  ボタン（ソフトウエアボタン）
８１ｂ〜８１ｅ  ボタン（ソフトウエアボタン）
９０ａ〜９０ｇ  ボタン（ソフトウエアボタン）
９１ａ〜９１ｆ  ボタン（ソフトウエアボタン）
９２ｅ〜９２ｇ，９２ｉ  ボタン（ソフトウエアボタン）
９３ｅ〜９３ｈ，９２ｊ  ボタン（ソフトウエアボタン）
【図１】
2005207967.tif 000003
【図２】
2005207967.tif 000004
【図３】
2005207967.tif 000005
【図４】
2005207967.tif 000006
【図５】
2005207967.tif 000007
【図６】
2005207967.tif 000008
【図７】
2005207967.tif 000009
【図８】
2005207967.tif 000010
【図９】
2005207967.tif 000011
【図１０】
2005207967.tif 000012
【図１１】
2005207967.tif 000013
【図１２】
2005207967.tif 000014
【図１３】
2005207967.tif 000015
【図１４】
2005207967.tif 000016
【図１５】
2005207967.tif 000017
【図１６】
2005207967.tif 000018
【図１７】
2005207967.tif 000019